(57)【特許請求の範囲】
【請求項１】
複数の製氷ユニットが冷凍回路を共有するシングラス製氷機であって、
各製氷ユニットは、製氷運転の開始時において、自機の給水が完了し且つ他の全ての製氷ユニットの給水が完了した後に、前記冷凍回路の動作が開始されるようにする、シングラス製氷機。
【請求項２】
各製氷ユニットは、少なくとも１つの他の製氷ユニットが製氷運転を停止する状態に遷移した際には、自機も製氷運転を停止する状態に遷移する、請求項１に記載のシングラス製氷機。
【発明の詳細な説明】
【技術分野】
【０００１】
この発明は、シングラス製氷機に係り、特に複数の製氷ユニットが冷凍回路を共有するシングラス製氷機に関する。
【背景技術】
【０００２】
シングラス製氷機は、製氷水を満たす製氷水タンクと、冷凍回路における蒸発器を内部に有する製氷ドラムとから構成される製氷ユニットを備えており、製氷水タンク内の製氷水と製氷ドラム内を流通する冷媒との間で熱交換を行わせることによって製氷水を製氷ドラムの表面に着氷させ、成長した氷層を剥離させて氷片を生成する。特許文献１には、シングラス製氷機の一例が記載されている。
【０００３】
近年、従来よりも短時間に大量の氷片を生成可能な大型製氷機の需要が高まっている。このような大型製氷機を製造する際には、新たに大型の製氷ユニットを設計するのではなく、既存の製氷ユニットを複数組み合わせて大型の製氷機を構成することにより、設計コストを削減することが考えられる。また、複数の製氷ユニットが冷凍回路を共有するように構成することにより、部品コストを削減することが考えられる。
【先行技術文献】
【特許文献】
【０００４】
【特許文献１】特開２０１４−１９０６号公報
【発明の概要】
【発明が解決しようとする課題】
【０００５】
複数の製氷ユニットが冷凍回路を共有する場合には、冷凍回路には製氷ユニットが１つの場合よりも高い冷凍能力が要求される。しかしながら、例えば２つの製氷ユニットが冷凍回路を共有するシングラス製氷機の製氷運転の開始時において、一方の製氷ユニットの製氷水タンクは満水であり給水が完了しているが、他方の製氷ユニットの製氷水タンクは未だ満水でなく給水が完了していない状態で冷凍回路の動作を開始させてしまうと、２つの製氷ユニットを前提とした冷凍能力で片方の製氷ユニットのみが製氷運転を行うことになってしまい、適切な品質の氷片を生成することができないという問題がある。
【０００６】
この発明はこのような問題を解決するためになされたものであり、複数の製氷ユニットが冷凍回路を共有するシングラス製氷機において、少なくとも１つの製氷ユニットの給水が完了していない状態で冷凍回路の動作が開始されてしまい、他の製氷ユニットのみで製氷運転を行ってしまう事態を防止することができる、シングラス製氷機を提供することを目的とする。
【課題を解決するための手段】
【０００７】
上記の課題を解決するために、この発明に係るシングラス製氷機は、複数の製氷ユニットが冷凍回路を共有するシングラス製氷機であって、各製氷ユニットは、製氷運転の開始時において、自機の給水が完了し且つ他の全ての製氷ユニットの給水が完了した後に、冷凍回路の動作が開始されるようにする。
【０００８】
各製氷ユニットは、少なくとも１つの他の製氷ユニットが製氷運転を停止する状態に遷移した際には、自機も製氷運転を停止する状態に遷移するようにしてもよい。
【発明の効果】
【０００９】
この発明によれば、複数の製氷ユニットが冷凍回路を共有するシングラス製氷機において、少なくとも１つの製氷ユニットの給水が完了していない状態で冷凍回路の動作が開始されてしまい、他の製氷ユニットのみで製氷運転を行ってしまう事態を防止することができる。
【図面の簡単な説明】
【００１０】
【図１】この発明の実施の形態１に係るシングラス製氷機の構成を示す図である。
【図２】この発明の実施の形態１に係るシングラス製氷機の制御手段の構成を示す図である。
【図３】この発明の実施の形態１に係るシングラス製氷機における給水処理のフローチャートである。
【図４】この発明の実施の形態１に係るシングラス製氷機における遅延起動処理のフローチャートである。
【図５】この発明の実施の形態２に係るシングラス製氷機の制御手段の構成を示す図である。
【図６】この発明の実施の形態２に係るシングラス製氷機における製氷ユニットの状態遷移図である。
【図７】この発明の実施の形態２に係るシングラス製氷機における製氷ユニットの状態の分類を示す図である。
【図８】この発明の実施の形態２に係るシングラス製氷機における製氷フラグの設定条件を示す図である。
【発明を実施するための形態】
【００１１】
以下、この発明の実施の形態について添付図面に基づいて説明する。
実施の形態１．
この発明の実施の形態１に係るシングラス製氷機１００について説明する。
図１に示されるように、シングラス製氷機１００は、製氷水を冷却して氷片を生成する２つの製氷ユニット１０，２０と、コンデンシングユニット３０とから構成されている。また、図１には示されていないが、シングラス製氷機１００には、製氷ユニット１０，２０によって生成された氷片を蓄えるストッカが取り付けられている。
【００１２】
製氷ユニット１０と２０は全く同様の構成を有しており、製氷水が満たされる製氷水タンク１１，２１と、製氷水タンク１１，２１内に配置されてその表面に氷層が成長する製氷ドラム１２，２２とを備えている。製氷ドラム１２，２２には、ドラムを回転させるためのギヤドモータ１３，２３が取り付けられている。また、製氷水タンク１１，２１には、タンク内に製氷水を供給するための給水バルブ１４，２４と、タンク内の水位を検知するための水位センサ１５，２５とが取り付けられている。
【００１３】
コンデンシングユニット３０は、気相冷媒を圧縮吐出するコンプレッサ３１と、気相冷媒を冷却凝縮するコンデンサ３２とを備えている。また、製氷ユニット１０，２０は、液相冷媒を膨張させる膨張弁１６，２６と、液相冷媒を蒸発させる蒸発器１７，２７とを備えており、蒸発器１７，２７は製氷ドラム１２，２２の内部に配置されている。
【００１４】
製氷ユニット１０と２０は冷凍回路を共有しており、コンデンシングユニット３０のコンプレッサ３１とコンデンサ３２、および製氷ユニット１０，２０の膨張弁１６，２６と蒸発器１７，２６によって、シングラス製氷機１００の冷凍回路が構成される。なお、膨張弁１６，２６と蒸発器１７，２７の間の経路には、ラインバルブ１８，２８が設けられている。
【００１５】
冷凍回路の動作時に回路内を循環する冷媒は、コンデンシングユニット３０内のコンプレッサ３１で圧縮され、コンデンサ３２において冷却凝縮された後、２方向に分岐して製氷ユニット１０，２０内にそれぞれ導かれる。製氷ユニット１０，２０内に導かれた各液相冷媒は膨張弁１６，２６において膨張し、製氷ドラム１２，２２内の蒸発器１７，２７において蒸発してドラム表面を冷却した後、合流してコンプレッサ３１に再度吸入される。
【００１６】
製氷ドラム１２，２２が冷却されると共にギヤドモータ１３，２３によって回転されると、ドラム表面に氷層が成長する。この氷層は図示しないカッタによって削り取られて氷片となり、ストッカ内に蓄えられる。
【００１７】
次に、この実施の形態１に係るシングラス製氷機１００の制御手段の構成について説明する。
図２に示されるように、シングラス製氷機１００は、製氷ユニット１０を制御するコントロールユニット１９と、製氷ユニット２０を制御するコントロールユニット２９とを備えている。コントロールユニット１９と２９は、全く同様の構成を有しており、マイクロコンピュータ等によって構成されている。
【００１８】
コントロールユニット１９は、製氷ユニット１０の水位センサ１５からの検知信号を受信すると共に、製氷ユニット１０のギヤドモータ１３、給水バルブ１４、およびラインバルブ１８を制御する。
【００１９】
コントロールユニット２９は、製氷ユニット２０の水位センサ２５からの検知信号を受信すると共に、製氷ユニット２０のギヤドモータ２３、給水バルブ２４、およびラインバルブ２８を制御する。
【００２０】
また、コントロールユニット１９，２９は、コンデンシングユニット３０のコンプレッサ３１を制御するための制御信号線Ｃ１，Ｃ２を有している。コンプレッサ３１は、制御信号線Ｃ１とＣ２からともに１が出力される場合に駆動状態となり、それ以外の場合には停止状態となる。
【００２１】
また、コントロールユニット１９，２９には、ユーザによって操作されるコントロールボード５０に配置された製氷スイッチ５１のＯＮ／ＯＦＦ状態が入力される。シングラス製氷機１００のユーザは、製氷機１００に製氷運転（製氷水を冷却して氷片を生成する動作）を行わせたい場合には製氷スイッチ５１をＯＮにし、製氷運転を停止させたい場合には製氷スイッチ５１をＯＦＦにする。
【００２２】
製氷ユニット１０のコントロールユニット１９は、自機の製氷水タンク１１が満水状態（給水完了状態）であるか否かを相手機である製氷ユニット２０のコントロールユニット２９に通知するためのリレーＸａを備えている。コントロールユニット１９は、水位センサ１５からの検知信号に基いて製氷水タンク１１の状態を判定し、満水状態の場合にはリレーＸａのコイルＬａに通電して接点ＴａをＯＮにし、そうでない場合には接点ＴａをＯＦＦにする。製氷ユニット２０のコントロールユニット２９は、リレーＸａの接点Ｔａの状態を読み取ることによって、製氷ユニット１０の製氷水タンク１１が満水状態であるか否かを知ることができる。
【００２３】
同様に、製氷ユニット２０のコントロールユニット２９は、自機の製氷水タンク２１が満水状態（給水完了状態）であるか否かを相手機である製氷ユニット１０のコントロールユニット１９に通知するためのリレーＸｂを備えている。コントロールユニット２９は、水位センサ２５からの検知信号に基いて製氷水タンク２１の状態を判定し、満水状態の場合にはリレーＸｂのコイルＬｂに通電して接点ＴｂをＯＮにし、そうでない場合には接点ＴｂをＯＦＦにする。製氷ユニット１０のコントロールユニット１９は、リレーＸｂの接点Ｔｂの状態を読み取ることによって、製氷ユニット２０の製氷水タンク２１が満水状態であるか否かを知ることができる。
【００２４】
次に、この実施の形態１に係るシングラス製氷機１００の製氷運転の開始時における動作について、図３，４のフローチャートを参照して説明する。
シングラス製氷機１００の製氷運転の開始時において、製氷ユニット１０，２０のコントロールユニット１９，２９は、図３のフローチャートに示される給水処理と図４に示される起動遅延処理とを実行する。以下、コントロールユニット１９の処理と、コントロールユニット２９の処理とを交互に説明するが、実際には両者の処理は並列に実行される。
【００２５】
（製氷ユニット１０の給水処理：図３  Ｓ１１〜Ｓ１４）
まず、製氷ユニット１０のコントロールユニット１９は、図３の給水処理の開始時において、自機の給水バルブ１４を閉じると共にリレーＸａをＯＦＦにする（Ｓ１１）。次に、コントロールユニット１９は、水位センサ１５からの検知信号に基いて自機の製氷水タンク１１の状態を判定し（Ｓ１２）、満水状態でない場合（Ｓ１２＝Ｎｏ）には、給水バルブ１４を開いて製氷水タンク１１への給水を開始する（Ｓ１３）。
【００２６】
製氷水タンク１１が満水状態になると（Ｓ１２＝Ｙｅｓ）、コントロールユニット１９は、給水バルブ１４を閉じると共にリレーＸａをＯＮにする（Ｓ１４）。先述したように、リレーＸａがＯＮであることは、製氷水タンク１１が満水状態（給水完了状態）であることを示している。
【００２７】
（製氷ユニット２０の給水処理：図３  Ｓ１１〜Ｓ１４）
一方、製氷ユニット２０のコントロールユニット２９は、図３の給水処理の開始時において、自機の給水バルブ２４を閉じると共にリレーＸｂをＯＦＦにする（Ｓ１１）。次に、コントロールユニット２９は、水位センサ２５からの検知信号に基いて自機の製氷水タンク２１の状態を判定し（Ｓ１２）、満水状態でない場合（Ｓ１２＝Ｎｏ）には、給水バルブ２４を開いて製氷水タンク２１への給水を開始する（Ｓ１３）。
【００２８】
製氷水タンク２１が満水状態になると（Ｓ１２＝Ｙｅｓ）、コントロールユニット２９は、給水バルブ２４を閉じると共にリレーＸｂをＯＮにする（Ｓ１４）。先述したように、リレーＸｂがＯＮであることは、製氷水タンク２１が満水状態（給水完了状態）であることを示している。
【００２９】
（製氷ユニット１０の起動遅延処理：図４  Ｓ２１〜Ｓ２２）
また、製氷ユニット１０のコントロールユニット１９は、図４の起動遅延処理の開始時において、水位センサ１５からの検知信号に基いて自機の製氷水タンク１１の状態を判定し、製氷水タンク１１が満水状態になるまで待機する（Ｓ２１）。製氷水タンク１１が満水状態になると（Ｓ２１＝Ｙｅｓ）、コントロールユニット１９は、リレーＸｂの状態を読み取ることによって相手機である製氷ユニット２０の製氷水タンク２１の状態を判定し、製氷水タンク２１が満水状態になるまで待機する（Ｓ２２）。
【００３０】
（製氷ユニット２０の起動遅延処理：図４  Ｓ２１〜Ｓ２２）
一方、製氷ユニット２０のコントロールユニット２９は、図４の起動遅延処理の開始時において、水位センサ２５からの検知信号に基いて自機の製氷水タンク２１の状態を判定し、製氷水タンク２１が満水状態になるまで待機する（Ｓ２１）。製氷水タンク２１が満水状態になると（Ｓ２１＝Ｙｅｓ）、コントロールユニット２９は、リレーＸａの状態を読み取ることによって相手機である製氷ユニット１０の製氷水タンク１１の状態を判定し、製氷水タンク１１が満水状態になるまで待機する（Ｓ２２）。
【００３１】
（製氷ユニット１０，２０の起動遅延処理：図４  Ｓ２３〜Ｓ２４）
製氷ユニット１０のコントロールユニット１９は、相手機である製氷ユニット２０の製氷水タンク２１が満水状態（給水完了状態）になると（Ｓ２２＝Ｙｅｓ）、自機のラインバルブ１７を開いた後、所定の遅延時間が経過するのを待ってからコンプレッサ３１の制御信号線Ｃ１に１を出力する（Ｓ２３）。
【００３２】
製氷ユニット２０のコントロールユニット２９は、相手機である製氷ユニット１０の製氷水タンク１１が満水状態（給水完了状態）になると（Ｓ２２＝Ｙｅｓ）、自機のラインバルブ２７を開いた後、所定の遅延時間が経過するのを待ってからコンプレッサ３１の制御信号線Ｃ２に１を出力する（Ｓ２３）。
【００３３】
冷凍回路の途中に設けられたラインバルブ１７，２７がともに開かれ、また制御信号線Ｃ１とＣ２からともに１が出力されるようになると、コンプレッサ３１が駆動して冷凍回路の動作が開始される。これにより、冷凍回路内を冷媒が循環するようになり、製氷ドラム１２，２２の冷却が開始される。コントロールユニット１９，２９は、製氷ドラム１２，２２が十分に冷却されてその表面に氷層が形成されるまで、所定時間待機する（Ｓ２４）。
【００３４】
以上説明したように、この実施の形態１に係るシングラス製氷機１００では、２つの製氷ユニット１０と２０は冷凍回路を共有しており、製氷ユニット１０と２０は、製氷運転の開始時において、自機の給水が完了し且つ相手機の給水が完了した後に、冷凍回路の動作が開始されるようにする。これにより、一方の製氷ユニットの給水が完了していない状態で冷凍回路の動作が開始されてしまい、他方の製氷ユニットのみで製氷運転を行ってしまう事態を防止することができる。
【００３５】
なお、上記実施の形態１に係るシングラス製氷機１００は、２つの製氷ユニットが冷凍回路を共有するものであったが、本願発明はより一般的に、複数（２つ以上）の製氷ユニットが冷凍回路を共有するシングラス製氷機に対して適用することができる。すなわち、本願発明に係る複数の製氷ユニットが冷凍回路を共有するシングラス製氷機において、各製氷ユニットは、製氷運転の開始時において、自機の給水が完了し且つ他の全ての製氷ユニットの給水が完了した後に、冷凍回路の動作が開始されるようにする。これにより、少なくとも１つの製氷ユニットの給水が完了していない状態で冷凍回路の動作が開始されてしまい、他の製氷ユニットのみで製氷運転を行ってしまう事態を防止することができる。
【００３６】
実施の形態２．
この発明の実施の形態２に係るシングラス製氷機について説明する。
実施の形態２に係るシングラス製氷機２００は、実施の形態１に係るシングラス製氷機１００において、一方の製氷ユニットが製氷運転を停止する状態に遷移した際に、他方の製氷ユニットも同様の状態に遷移する制御を追加したものである。なお、以降の説明において、実施の形態１と同一または同様の構成については詳細な説明を省略する。
【００３７】
まず、この実施の形態２に係るシングラス製氷機２００の制御手段の構成について説明する。
図５に示されるように、シングラス製氷機２００は、製氷ユニット２１０を制御するコントロールユニット２１９と、製氷ユニット２２０を制御するコントロールユニット２１９とを備えている。
【００３８】
コントロールユニット２１９は、実施の形態１におけるコントロールユニット１９において、自機の状態を相手機のコントロールユニット２１９に通知するためのリレーＸｃを追加したものである。
【００３９】
同様に、コントロールユニット２２９は、実施の形態１におけるコントロールユニット２９において、自機の状態を相手機のコントロールユニット１１９に通知するためのリレーＸｄを追加したものである。
【００４０】
図６には、製氷ユニット２１９，２２９の状態遷移図が示されている。この図に示されるように、製氷ユニット２１０，２２０は、満氷停止ＳＴ１、起動遅延ＳＴ２、製氷ＳＴ３、停止処理ＳＴ４、エラー停止処理ＳＴ５の５つの状態をとる。製氷ユニット２１０，２２０のコントロールユニット２１９，２２９は、電源が投入されると自機の状態を満杯停止ＳＴ１に遷移させる。
【００４１】
満氷停止ＳＴ１は、冷凍回路が動作しておらず、製氷ユニット２１０，２２０による製氷運転が行われていない状態である。満氷停止ＳＴ１において、コントロールユニット２１９，２２９は、後述する自機の製氷フラグが１であり、かつ図示しないストッカ内が満氷状態でない場合には、自機の状態を起動遅延ＳＴ２に遷移させる。
【００４２】
起動遅延ＳＴ２は、冷凍回路の動作が開始されて製氷ユニット２１０，２２０による製氷運転の準備が行われる状態である。起動遅延ＳＴ２において、コントロールユニット２１９，２２９は、実施の形態１で説明した図３の給水処理と図４の起動遅延処理を行い、図４の起動遅延処理が完了すると、自機の状態を製氷ＳＴ３に遷移させる。
【００４３】
製氷ＳＴ３は、冷凍回路が動作して製氷ユニット２１０，２２０による製氷運転が行われている状態である。製氷ＳＴ３において、コントロールユニット２１９，２２９は、後述する自機の製氷フラグが０となるか、または図示しないストッカ内が満氷状態になるか、または所定時間ごとに行われる製氷水タンクの自動排水が開始されると、自機の状態を停止処理ＳＴ４に遷移させる。
【００４４】
停止処理ＳＴ４は、冷凍回路の動作が停止されて製氷ユニット２１０，２２０の製氷運転が停止される状態である。停止処理ＳＴ４において、コントロールユニット２１９，２２９は、自機のラインバルブ１７，２７を閉じた後、コンプレッサ３１に接続されている制御信号線Ｃ１，Ｃ２に０を出力して冷凍回路の動作が停止されるようにする。冷凍回路の動作が停止されて製氷運転が停止されると、コントロールユニット２１９，２２９は、自機の状態を満氷停止ＳＴ１に遷移させる。
【００４５】
エラー停止処理ＳＴ５は、何らかのエラーが発生した際に強制的に遷移される状態であり、冷凍回路の動作が停止されて製氷ユニット２１０，２２０の製氷運転が停止される。エラー停止処理ＳＴ５において、コントロールユニット２１９，２２９は、自機のラインバルブ１７，２７を閉じた後、コンプレッサ３１に接続されている制御信号線Ｃ１，Ｃ２に０を出力して冷凍回路の動作が停止されるようにする。冷凍回路の動作が停止されて製運転が停止された後、エラーの原因が解消されると、コントロールユニット２１９，２２９は、自機の状態を満氷停止ＳＴ１に遷移させる。
【００４６】
製氷ユニット２１０，２２０のコントロールユニット２１９，２２９は、自機の状態を第１の状態（満氷停止ＳＴ１、起動遅延ＳＴ２、製氷ＳＴ３）と、第２の状態（停止処理ＳＴ４、エラー停止処理ＳＴ５、）とに分類して管理する。第１の状態は、冷凍回路が動作して製氷運転が行われている状態、またはこれから冷凍回路を動作させて製氷運転を開始しようとしている状態である。一方、第２の状態は、冷凍回路の動作を停止させて製氷運転を停止させる状態である。
【００４７】
製氷ユニット２１０のコントロールユニット２１９は、自機の状態が第１の状態の場合には、リレーＸｃのコイルＬｃに通電して接点ＴｃをＯＮにし、自機の状態が第２の状態である場合には、リレーＸｃの接点ＴｃをＯＦＦにする（図６、図７参照）。製氷ユニット２２０のコントロールユニット２２９は、リレーＸｃの接点Ｔｃの状態を読み取ることによって、相手機である製氷ユニット２１０が現在第１の状態にあるか第２の状態にあるかを知ることができる。
【００４８】
同様に、製氷ユニット２２０のコントロールユニット２２９は、自機の状態が第１の状態の場合には、リレーＸｄのコイルＬｄに通電して接点ＴｄをＯＮにし、自機の状態が第２の状態である場合には、リレーＸｄの接点ＴｄをＯＦＦにする（図６、図７参照）。製氷ユニット２１０のコントロールユニット２１９は、リレーＸｄの接点Ｔｄの状態を読み取ることによって、相手機である製氷ユニット２２０が現在第１の状態にあるか第２の状態にあるかを知ることができる。
【００４９】
コントロールユニット２１９，２２９は、ユーザによって操作されるコントロールボード５０の製氷スイッチ５１の状態（ＯＮまたはＯＦＦ）と、リレーＸｃ，Ｘｄから読み取られる自機と相手機の状態（第１の状態または第２の状態）とに基いて、自機の内部メモリにある製氷フラグを１または０に設定する。具体的には、図８に示されるように、製氷スイッチ５１がＯＮであり、かつ自機と相手機のリレーがともにＯＮである場合にのみ、製氷フラグを１に設定し、それ以外の場合には０に設定する。
【００５０】
次に、この実施の形態２に係るシングラス製氷機２００の動作について、具体例に基いて説明する。
例えば、図６の状態遷移図において、製氷ユニット２１０と２２０の状態がともに製氷ＳＴ３であるとする。また、コントロールボード５０の製氷スイッチ５１はＯＮであるとする。この状態では冷凍回路が動作しており、製氷ユニット２１０，２２０による製氷運転が行われている。また、コントロールユニット２１９と２２９のリレーＸｃとＸｄはともにＯＮであり（図７参照）、両者の製氷フラグはともに１である（図８参照）。
【００５１】
この状態において、仮に製氷ユニット２１０の製氷水タンク２１の自動排水が開始されたとする。このとき、製氷ユニット２１０のコントロールユニット２１９は、自機の状態を製氷ＳＴ３から停止処理ＳＴ４に遷移させ、自機のリレーＸｃをＯＮからＯＦＦに変化させる。また、リレーＸｃをＯＦＦにしたことにより、図８に基いて自機の製氷フラグを１から０に変化させる。
【００５２】
製氷ユニット２２０のコントロールユニット２２９は、コントロールユニット２１９のリレーＸｃがＯＮからＯＦＦに変化したことを検知し、図８に基いて自機の製氷フラグを１から０に変化させる。そして、コントロールユニット２２９は、自機の製氷フラグが１から０に変化したことにより、自機の状態を製氷ＳＴ３から停止処理ＳＴ４に遷移させ、自機のリレーＸｄをＯＮからＯＦＦに変化させる。
【００５３】
製氷ＳＴ３から停止処理ＳＴ４にともに状態が遷移したコントロールユニット２１９と２１９は、自機のラインバルブ１７，２７を閉じた後、コンプレッサ３１に接続されている制御信号線Ｃ１，Ｃ２に０を出力して冷凍回路の動作が停止されるようにする。これにより、製氷ユニット２１０と２２０の製氷動作がともに停止される。
【００５４】
以上説明したように、この実施の形態２に係るシングラス製氷機２００において、製氷ユニット２１０と２２０は、相手機が製氷運転を停止させる状態に遷移した際には、自機も製氷運転を停止させる状態に遷移する。これにより、冷凍回路が動作している状態のまま一方の製氷ユニットの製氷運転を停止してしまい、他方の製氷ユニットのみで製氷運転を行ってしまうような事態を回避することができる。
【００５５】
なお、上記実施の形態２に係るシングラス製氷機２００は、２つの製氷ユニットが冷凍回路を共有するものであったが、本願発明はより一般的に、複数（２つ以上）の製氷ユニットが冷凍回路を共有するシングラス製氷機に対して適用することができる。すなわち、本願発明に係る複数の製氷ユニットが冷凍回路を共有するシングラス製氷機において、各製氷ユニットは、少なくとも１つの他の製氷ユニットが製氷運転を停止する状態に遷移した際には、自機も製氷運転を停止する状態に遷移する。これにより、冷凍回路が動作している状態のまま少なくとも１つの製氷ユニットの製氷運転を停止してしまい、他の製氷ユニットのみで製氷運転を行ってしまうような事態を回避することができる。
【符号の説明】
【００５６】
１００，２００  シングラス製氷機、１０，２０，２１０，２２０  製氷ユニット、１１，２１  製氷水タンク。
【図１】
0006340283.tif 000002
【図２】
0006340283.tif 000003
【図３】
0006340283.tif 000004
【図４】
0006340283.tif 000005
【図５】
0006340283.tif 000006
【図６】
0006340283.tif 000007
【図７】
0006340283.tif 000008
【図８】
0006340283.tif 000009